(57)【要約】      （修正有）【課題】立体パズルの構造を提供する。【解決手段】複数の多辺形ピース１から構成する立体パズルの構造１０であって、各多辺形ピース１は多辺形薄プレート１１からなり、各多辺形薄プレート１１は図案面１１１及び複数のサイド辺を具有し、それぞれのサイド辺から外側に向って接合辺を延伸して形成し、かつ、各サイド辺に沿って折れ線１３を形成し、各接合辺を折れ線１３を介して図案面１１１の反対面側に折り曲げて互いに貼り合わせることにより、複数の多辺形薄プレート１１から一つの立体形体２を画設する。薄いプレート状の多辺形ピース１を従来のラジアンと厚みを具有するピースに代えて立体形状を形成することにより、パズル製品の重さを軽くし、且つ、多辺形ピース１の図案面１１１により、表面に菱形デザインのあるパズルの製品を構成することが出来る。【選択図】図１
0003205444.tif 000002
【実用新案登録請求の範囲】
【請求項１】
複数の多辺形ピースからなり、
各該多辺形ピースは多辺形薄プレートから形成され、各多辺形薄プレートは図案面及びその外周縁の複数のサイド辺を具有し、各該多辺形薄プレートはそれぞれ該サイド辺から外側に向って接合辺を延伸して形成すると共に各該サイド辺に沿って折れ線を形成して、該複数の接合辺を折れ線を介して図案面の反対面側に折り曲げて互いに貼り合わせることにより、該複数の多辺形薄プレートから一つの立体形体を画設することを特徴とする立体パズルの構造。
【請求項２】
前記図案面は、該立体形体の外側部に露出し、該複数の接合辺は該立体形体の内側部に位置することを特徴とする請求項１記載の立体パズルの構造。
【請求項３】
前記各接合辺は、サイド辺の全長にわたって延伸して成形することを特徴とする請求項１記載の立体パズルの構造。
【請求項４】
前記の互いに貼り合わせる二つの接合辺の長さは同じであることを特徴とする請求項１記載の立体パズルの構造。
【請求項５】
前記各多辺形薄プレートから延伸して形成する各接合辺の長さは異なることを特徴とする請求項１記載の立体パズルの構造。
【請求項６】
更に一つの台座を具え、該台座を該立体形体の底部に固定すると共に、該台座には、該立体形体内部に対応して一つの開口を設けたことを特徴とする請求項１記載の立体パズルの構造。
【請求項７】
前記各粘着層を各接合辺の上に重ね合わせて設け、各粘着層は粘着剤或いは接着テープであることを特徴とする請求項１記載の立体パズルの構造。
【請求項８】
前記粘着層は、更に複数の剥離紙を有し、各剥離紙を各粘着層の上に重ね合わせたことを特徴とする請求項７記載の立体パズルの構造。
【請求項９】
前記複数の接合辺に順番に数字を表示し、且つ互いに貼り合わせる二つの接合辺が表示する数字を同じとしたことを特徴とする請求項１記載の立体パズルの構造。
【請求項１０】
前記複数の接合辺は、順番にアルファベットを表示し、且つ互いに貼り合わせる二つの接合辺が表示するアルファベットを同じとしたことを特徴とする請求項１記載の立体パズルの構造。
【請求項１１】
前記各多辺形薄プレートは、三角形プレートとしたことを特徴とする請求項１記載の立体パズルの構造。
【請求項１２】
前記各多辺形ピースは薄い紙プレート、薄いプラスチックプレート或いは薄い金属プレートで構成したことを特徴とする請求項１記載の立体パズルの構造。
【考案の詳細な説明】
【技術分野】
【０００１】
本考案は、一種のパズル構造に関し、特に立体パズルの構造に関する。
【背景技術】
【０００２】
生活が多様化に発展するのに従い、知育玩具或いは室内インテリアも多様化したデザインになってきた。消費者がパズルの購入欲を高めるため、立体パズルのピースは斬新で面白く、立体パズルの完成品も立体的でトレンディであるため、ここ数年の立体パズルの製造量は平面パズルに追いつつある。
【０００３】
しかし市場に出回る立体パズルのスタイルは多様化しているが、その多くはラジアン及び厚みを具有するピースを互いに嵌めて一つの立体形体を作り上げ、それにより立体形体の重量オーバーとなり易く、また、見た目が大同小異に映りやすい。よって如何にして立体パズルの重さを減らしつつ、立体パズルの斬新性を表せるものを案出するのかが重要であった。
【先行技術文献】
【特許文献】
【０００４】
【特許文献１】特開２０１５−１６２７１号公報
【特許文献２】特開２００４−３０５２７５号公報
【考案の概要】
【考案が解決しようとする課題】
【０００５】
前記公知構造の欠点を解決するため、本考案は薄いプレート状の多辺形ピースが従来のラジアンと厚みを具有するピースの代わりになり、パズル製品の重さを軽くし、且つ多辺形ピースを互いに貼り付けることで、表面に菱形デザインのあるパズルの製品を構成することで、立体パズルの構造上軽量化すると共に表面に菱形デザインを持つメリットを具有する立体パズルの構造を提供することを主な課題とする。
【課題を解決するための手段】
【０００６】
上述の目的を達成するために、本考案は立体パズルの構造を提供するものである。各一つの該多辺形ピースは一つの多辺形薄プレートを具有し、各一つの該多辺形薄プレートは一つの図案面及び複数のサイド辺を具有し、各一つの該多辺形薄プレートはそれぞれ該サイド辺から外側に向って一つの接合辺を延伸し、及び各該サイド辺に沿って一つの折れ線を形成し、該複数の接合辺は該折れ線を図案面から離れた方向に折れ曲げて且つ互いに貼り付けることで、該複数の多辺形薄プレートから一つの立体形体を画設する。
【考案の効果】
【０００７】
本考案の構造により、薄いプレート状の多辺形ピースが従来のラジアンと厚みを具有するピースの代わりになり、パズル製品の重さを軽くした。且つ多辺形ピースを互いに貼り付けることで、表面に菱形デザインのある立体形体を構成し、その立体パズルの構造は軽量及び表面に菱形デザインを持つメリットを具有する。
【図面の簡単な説明】
【０００８】
【図１】本考案の立体パズルの構造の立体組立図である。
【図２】本考案の立体パズルの構造の別の立体組立図である。
【図３】本考案の立体パズルの構造の立体分解図である。
【図４】本考案の多辺形ピースの第２実施例の立体略図である。
【図５】本考案の多辺形ピースの第３実施例の断面略図である。
【考案を実施するための形態】
【０００９】
以下、本考案の構造と特徴および効果を、最良実施例と図面を参照しながら詳細に説明し、図面は説明するためのものであり、本考案を制限するものではない。
【実施例１】
【００１０】
図１から図３に示すように、本考案は一種の立体パズルの構造を提供し、この立体パズルの構造１０は複数の多辺形ピース１から構成される。
【００１１】
各多辺形ピース１は薄い紙プレート、薄いプラスチックプレート或いは薄い金属性プレートであって、各多辺形ピース１は多辺形薄プレート１１を構成し、各多辺形薄プレート１１に図案面１１１及び複数のサイド辺を形成する。各多辺形薄プレート１１はそれぞれサイド辺から外側に向って接合辺１２を延伸して形成し、かつ各サイド辺に沿って折れ線１３を設ける。
【００１２】
下記に詳細に説明する。各々の接合辺１２はサイド辺の全長にわたって延伸して形成し、且つ各多辺形薄プレート１１の各サイド辺の長さは同じか或いは異なるものとし、それにより各多辺形薄プレート１１から延伸する各接合辺１２の長さも同じ或いは異なるものとなる。その中で、各多辺形薄プレート１１の最良実施例は三角形プレートであるが、それに制約されるものではなく、四辺形プレート、五辺形プレートなどの多辺形状でもよい。
【００１３】
複数の接合辺１２は折れ線１３を介して図案面１１１から離れた方向に折り曲げて且つ互いに貼り付ける。互いに貼り付ける二つの接合辺１２の長さは同じであることで、複数の多辺形薄プレート１１から一つの立体形体２を画設する。その中で、複数の図案面１１１は立体形体２の外側部に露出することで、立体形体２の図案を表し、複数の接合辺１２は立体形体２の内側部に位置する。
【００１４】
本考案の立体パズルの構造１０は、更に一つの台座３を有し、台座３を立体形体２の底部に固定する。台座３には、立体形体２内部に対応して一つの開口３１を設けることにより、立体形体２が力を受けて内側に窪んだ場合に、組立てる者が開口３１を通して、立体形体２の内部から窪んだ部分を外側に押し返して立体形体２を元の形状に復元することができる。
【００１５】
本考案の立体パズルの構造１０の組合せ及び使用状態は、各多辺形ピース１が具有する多辺形薄プレート１１により、各多辺形薄プレート１１は図案面１１１及び複数のサイド辺を具有する。各多辺形薄プレート１１はそれぞれサイド辺から外側に向って一つの接合辺１２を延伸し、及び各サイド辺に沿って一つの折れ線１３を形成する。複数の接合辺１２は折れ線１３を図案面１１１から離れた方向に折り曲げて互いに貼り付けることにより、複数の多辺形薄プレート１１から立体形体２を画設する。それにより薄いプレート状の多辺形ピース１が従来のラジアンと厚みを具有するピースの代わりになり、パズル製品の重さを軽くした。且つ、多辺形ピース１を互いに貼り付けることで、表面に菱形デザインのある立体形体２を構成し、その立体パズルの構造１０は軽量化及び表面に菱形デザインを有する効果を具有する。
【００１６】
また、各一つの接合辺１２はサイド辺の全長から延伸して形成され、互いに貼り付ける二つの接合辺１２の長さは同じとすることにより、二つずつ接着する多辺形ピース１の構造は安定し、且つ辺の長さも同じであるため、複数の多辺形薄プレート１１で立体形体２を画設し、同時に構造が安定及び表面に菱形角辺のラインが自然である効果を具有する。
【実施例２】
【００１７】
図４に示すのは、本考案の多辺形ピース１の第２実施例である。図４の実施例は図１から図３の実施例と大略同じであって、図４の実施例が図１から図３の実施例と異なる部分は、複数の接合辺１２が順番に数字を表示し、且つ互いに貼り付ける二つの接合辺１２が表示する数字が同じとしたことである。それによりユーザーを補助し、数字を確認して素早く且つ正確に二つの接合辺１２を貼り合わせることができる。
【００１８】
同じように、前記接合辺１２に表示する数字は、アルファベットに変更してもよい。複数の接合辺１２は順番にアルファベットを表示し、且つ互いに貼り合わせる二つの接合辺１２が表示するアルファベットが同じであるため、前記の機能及び効果を達成することができる。
【実施例３】
【００１９】
図５に示すのは、本考案の多辺形ピース１の第３実施例である。図５の実施例は図１から図３の実施例と大略同じであり、図５の実施例が図１から図３の実施例と異なる部分は、立体パズル構造１０に複数の粘着層４及び複数の剥離紙５を有することである。ここで、各粘着層４は粘着剤或いは接着テープとする。
【００２０】
まず図１から図３に示すのは、互いに貼り合わせる二つの接合辺１２は、通常ユーザーが自ら粘着剤或いは接着テープを塗布することで、二つの接合辺１２がしっかり貼り付くようになる。
【００２１】
しかし、図５の実施例は直接各粘着層４を各接合辺１２の上に重ね合わせ、各剥離紙５を更に各粘着層４の上に重ね合わせる。ユーザーは立体パズルを組み合わせる過程において、剥離紙５を剥がすだけで、粘着層４により二つの接合辺１２をしっかりと貼り合わせることができ、立体パズルの構造１０の貼り合わせ作業の利便性を高める。
【符号の説明】
【００２２】
１０  立体パズルの構造
１  多辺形ピース
１１  多辺形薄プレート
１１１  図案面
１２  接合辺
１３  折れ線
２  立体形体
３  台座
３１  開口
４  粘着層
５  剥離紙
【図１】
0003205444.tif 000003
【図２】
0003205444.tif 000004
【図３】
0003205444.tif 000005
【図４】
0003205444.tif 000006
【図５】
0003205444.tif 000007
【手続補正書】
【提出日】平成28年5月23日(2016.5.23)
【手続補正１】
【補正対象書類名】実用新案登録請求の範囲
【補正対象項目名】請求項７
【補正方法】変更
【補正の内容】
【請求項７】
粘着層を前記各接合辺の上に重ね合わせて設け、各粘着層は粘着剤或いは接着テープであることを特徴とする請求項１記載の立体パズルの構造。